(57)【要約】【課題】コントラストを維持するとともに、反射率の高い光散乱型の液晶表示装置を提供する。【解決手段】背面側の第１基板１０と表示側の第２基板２０とからなる一対の基板と、第１基板１０と第２基板２０の一主面側にそれぞれ設けられた第１電極１５および第２電極２１と、第１基板１０と第２基板２０との間に第１電極１５および第２電極２１を介して挟持される光散乱性の液晶層３０とを備えた液晶表示装置において、第１基板１０と第１電極１５の間には、可視光領域に吸収を有さない材質で構成された層間絶縁膜１３が設けられている。【選択図】図１
2007248668.tif 000002
【特許請求の範囲】
【請求項１】
表示側基板と背面側基板とからなる一対の基板と、当該基板の一主面側にそれぞれ設けられた電極と、前記基板間に前記電極を介して挟持される光散乱性の液晶層とを備えた液晶表示装置において、
前記背面側基板と前記電極の間には、可視光領域に吸収を有さない材質で構成された絶縁層が設けられている
ことを特徴とする液晶表示装置。
【請求項２】
前記絶縁層の屈折率は、前記液晶層の屈折率より小さい
ことを特徴とする請求項１記載の液晶表示装置。
【請求項３】
前記絶縁層は、フッ素系樹脂で構成されている
ことを特徴とする請求項１記載の液晶表示装置。
【請求項４】
前記背面側基板には、薄膜トランジスタが設けられており、
前記絶縁層は、前記薄膜トランジスタを覆う状態で、前記背面側基板上に設けられている
ことを特徴とする請求項１記載の液晶表示装置。
【請求項５】
前記液晶層は、ネットワーク構造を有するポリマーと、当該ポリマーのネットワーク構造中に分散された液晶部とを備えている
ことを特徴とする請求項１記載の液晶表示装置。
【発明の詳細な説明】
【技術分野】
【０００１】
本発明は、液晶表示装置に関するものであって、特には、電界の印加により光散乱性が変化する液晶層を備えた液晶表示装置に関する。
【背景技術】
【０００２】
近年、携帯電話、携帯情報端末などのモバイル機器の発達に伴い、低消費電力かつ高品位画質の表示素子の需要が高まってきている。その中でも、電子書籍配信事業の出現により、読書用携帯端末用途として、長時間の読書に適した表示品位を持った「読む」ディスプレイの実現が期待されている。
【０００３】
「読む」ディスプレイとしては、コレステリック液晶ディスプレイ、電子インクディスプレイ、ツイストボール型ディスプレイなどが提案されているが、その中で、偏光板が不要で明るく、紙と同様に外光の散乱を用いて明表示を行うものは、紙に近い表示品位で長時間の読書に最も適していると言うことができる。また、バックライトを用いず、外光の反射（散乱）により表示するため、非常に低消費電力である。
【０００４】
その中の有力な候補として、ポリマーネットワーク型液晶ディスプレイ（以下、ＰＮ−ＬＣＤ）がある（例えば、下記特許文献１参照）。このディスプレイは、液晶中に三次元網目状に形成されたポリマーネットワークが張り巡らされた構造を持ち、印加電界により液晶の位相を変化させることで光散乱強度を制御する表示モードである。
【０００５】
ここで、反射型のＰＮ−ＬＣＤの一例を図３に示す。この図に示すように、ＰＮ−ＬＣＤは、透明性基板からなる第１基板１０と第２基板２０との間に、光散乱性の液晶層３０が挟持されている。
【０００６】
第１基板１０には、薄膜トランジスタ（Thin Film Transistor（ＴＦＴ））１１からなる駆動素子および配線などを含むアクティブ型の駆動回路が形成されている。この薄膜トランジスタ１１は、ボトムゲート型の薄膜トランジスタであり、第１基板１０上に配置されたゲート電極４１を覆う状態で、ゲート絶縁膜４２が形成されている。また、ゲート絶縁膜４２上には、ゲート電極４１を覆う状態でチャネル層４３がパターン形成されている。そして、チャネル層４３上には、ゲート電極４１上を開口する状態で、ソース４４ａおよびドレイン４４ｂの層がパターン形成されている。さらに、ゲート絶縁膜４２上には、ソース４４ａおよびドレイン４４ｂ上に一部を積層させたソース電極４５ａおよびドレイン電極４５ｂがパターン形成されている。
【０００７】
そして、第１基板１０上には、この薄膜トランジスタ１１を備えた駆動回路を覆う状態で、パッシベーション膜１２を介して感光性樹脂からなる層間絶縁膜１３’が設けられている。層間絶縁膜１３’には、上記ドレイン電極４５ｂに達する接続孔１３ａが設けられており、接続孔１３ａ内にはコンタクトプラグ１４が設けられている。さらに、層間絶縁膜１３’上には、コンタクトプラグ１４を介してドレイン電極４５ｂと接続される状態で、画素電極となる第１電極１５がマトリクス状に配置されている。また、第１基板１０における第１電極１５の形成面側とは反対側の面には、光吸収層１６が設けられている。一方、表示側基板となる第２基板２０には、一主面側の全域に第２電極２１が設けられている。
【０００８】
そして、第１基板１０と第２基板２０との間には、第１電極１５、第２電極２１を介して光散乱性の液晶層３０が挟持されている。この液晶層３０は、三次元網目状のネットワーク構造を有するポリマー３１と、ポリマー３１のネットワーク構造中に分散された液晶ドロプレット３２とを備えている。各液晶ドロプレット３２中には液晶分子３３が包括されている。
【０００９】
上述したようなＰＮ−ＬＣＤは、無電界時には、液晶ドロプレット３２中の液晶分子３３がランダムに配向するため、第２基板２０側からの入射光が散乱されて白表示となる。一方、電界を印加したときには、液晶分子３３が第１基板１０および第２基板２０に対して垂直方向に配向し、入射光が透過して光吸収層１６で吸収されることで黒表示となる。
【００１０】
このようなＰＮ−ＬＣＤは、光散乱表示である他に、中諧調表示が容易である、表示書き換え時間が短い、一般的なアモルファスシリコン薄膜トランジスタ（以下、ａ−ＳｉＴＦＴ）で駆動が可能である、など多くの特徴がある。
【００１１】
一方、欠点としては、反射率が低いことが挙げられる。そこで、液晶分子３３の屈折率異方性Δｎを上げる、または、ポリマー３１の屈折率ｎpと液晶分子３３の常光に対する屈折率ｎoとの差を大きくすることが考えられている。
【００１２】
また、ＰＮ−ＬＣＤでは、一般的に、層間絶縁膜１３’が感光性樹脂で構成されているため、可視光領域において完全な透明ではなく、光が吸収されてしまう。特に、反射型のＰＮ−ＬＣＤでは、入射光量の半分以上は背面側基板となる第１基板１０に到達するため、その一部が吸収されてしまうことで、反射率が低下してしまう。そこで、層間絶縁膜１３’による入射光の吸収を防止するため、層間絶縁膜１３’を形成せずに、画素電極である第１電極１５を薄膜トランジスタ１１のソース電極４５ａ・ドレイン電極４５ｂと同一層に形成することも検討されている。
【００１３】
【特許文献１】特許第２７２４５９６号公報
【発明の開示】
【発明が解決しようとする課題】
【００１４】
しかし、液晶分子３３の屈折率特性を変えることは、実用上使用できる液晶材料が限定されるため、難しい。また、層間絶縁膜１３’を形成せずに、第１電極１５を薄膜トランジスタ１１のソース電極４５ａ・ドレイン電極４５ｂと同一層に形成した場合には、第２基板２０側からの入射光が層間絶縁膜１３’に吸収されない分、反射率を向上させることはできる。しかし、第１電極１５とソース電極４５ａ・ドレイン電極４５ｂとの間の配線間容量が増大することを防ぐため、設計上、第１電極１５を一回り小さく形成する必要があり、開口率を下げざるを得なくなる。これにより、液晶分子３３の配向制御性が悪化し、コントラストが低下する、という問題が生じている。
【００１５】
かかる問題点を改善するため、本発明は、コントラストが維持されるとともに、反射率または透過率の高い液晶表示装置を提供することを目的とする。
【課題を解決するための手段】
【００１６】
上述したような課題を解決するために、本発明の液晶表示装置は、表示側基板と背面側基板とからなる一対の基板と、当該基板の一主面側にそれぞれ設けられた電極と、基板間に電極を介して挟持される光散乱性の液晶層とを備えている。そして、背面側基板と電極の間には、可視光領域に吸収を有さない材質で構成された絶縁層が設けられていることを特徴としている。
【００１７】
このような液晶表示装置によれば、背面側基板と電極の間に、可視光領域に吸収を有さない材質で構成された絶縁層が設けられていることで、表示側基板から入射する可視光が絶縁層に吸収されることが防止される。これにより、入射した可視光は透過率または反射率に寄与されるため、有効に利用される。よって、光散乱型の液晶表示装置における、反射率または透過率を高めることができる。また、背面側基板に絶縁層を介して電極が形成されることで、背面側基板に薄膜トランジスタが設けられる場合であっても、上記電極は、薄膜トランジスタのソース電極・ドレイン電極とは別の層で形成されるため、開口率が維持される。これにより、液晶表示装置のコントラストが維持される。
【発明の効果】
【００１８】
以上説明したように、本発明の液晶表示装置によれば、コントラストを維持した状態で、反射率または透過率を高くすることができるため、画質の優れた明るい表示が可能となる。
【発明を実施するための最良の形態】
【００１９】
以下、本発明の液晶表示装置に係わる実施の形態の一例を、詳細に説明する。ここでは、反射型のＰＮ−ＬＣＤの例について、図１を用いて説明する。なお、背景技術で図２を用いて説明したものと同様の構成には、同一の番号を付して説明する。
【００２０】
この液晶表示装置は、透明性基板からなる第１基板１０と第２基板２０との間に、光散乱性の液晶層３０が挟持されている。
【００２１】
第１基板１０は、背面側の基板であり、例えばガラスなどの透明材料により構成されており、第１基板１０には、薄膜トランジスタ（ＴＦＴ）１１からなる駆動素子および配線などを含むアクティブ型の駆動回路が形成されている。この図に示す薄膜トランジスタ１１は、ボトムゲート型の薄膜トランジスタであり、第１基板１０上にパターン形成された例えばクロム（Ｃｒ）からなるゲート電極４１を覆う状態で、例えば窒化シリコン（ＳｉＮ）からなるゲート絶縁膜４２が形成されている。このゲート絶縁膜４２上には、ゲート電極４１を覆う状態で、例えばアモルファスシリコンからなるチャネル層４３がパターン形成されている。そして、チャネル層４３上には、ゲート電極４１上を開口する状態で、例えばｎ型のアモルファスシリコン層からなるソース４４ａおよびドレイン４４ｂがパターン形成されている。ゲート絶縁膜４２上には、ソース４４ａおよびドレイン４４ｂ上に一部を積層させた状態で、例えばＣｒからなるソース電極４５ａおよびドレイン電極４５ｂがパターン形成されている。
【００２２】
そして、第１基板１０上には、この薄膜トランジスタ１１を備えた駆動回路を覆う状態で、例えばＳｉＮからなるパッシベーション膜１２を介して層間絶縁膜１３が設けられている。この層間絶縁膜１３の材質については、後段落で詳細に説明する。なお、ここでは、パッシベーション膜１２を介して層間絶縁膜１３が設けられた例について説明するが、パッシベーション膜１２は設けなくてもよい。ただし、パッシベーション膜１２が設けられている方が、薄膜トランジスタ１１の信頼性の点で好ましい。
【００２３】
層間絶縁膜１３は、上記ドレイン電極４５ｂに達する接続孔１３ａを有しており、接続孔１３ａ内にはコンタクトプラグ１４が設けられている。さらに、層間絶縁膜１３上には、コンタクトプラグ１４を介してドレイン電極４５ｂと接続される状態で、画素電極となる第１電極１５がマトリクス状に配置されている。ここで、コンタクトプラグ１４と第１電極１５とは、透明性を有する例えばＩＴＯ（Indium Tin Oxide)膜により構成されている。また、第１基板１０における第１電極１５の形成面側とは反対側の面には、光吸収層１６が設けられている。この光吸収層１６は、例えば炭素を含む材料で構成されている。
【００２４】
一方、第１基板１０に対向配置される第２基板２０は、表示側の基板であり、例えばガラスなどの透明材料により構成されている。第２基板２０には、第１基板１０と対向する側の全域に、透明性を有する例えばＩＴＯ膜からなる第２電極２１が設けられている。
【００２５】
上記第１基板１０と第２基板２０との間には、第１電極１５および第２電極２１を介して、光散乱性のポリマーネットワーク（ＰＮ）型の液晶層３０が挟持されている。この液晶層３０は、三次元網目状のネットワーク構造を有するポリマー３１と、ポリマー３１のネットワーク構造中に分散された液晶ドロプレット３２（液晶部）とを備えている。各ドロプレット３２中には液晶分子３３が包括されている。各ドロプレット３２は連通した状態で設けられていてもよい。
【００２６】
上記第１基板１０と第２基板２０とは、周縁に設けられたシール材（図示省略）により接着されている。また、シール材中を含む第１基板１０と第２基板２０との間には、スペーサ（図示省略）が点在しており、セルギャップが上記基板間の全域で維持されるように構成されている。
【００２７】
ここで、図２に液晶分子３３の構造を示す。この液晶分子３３は複屈折性を有しており、その長手方向の（ｚ方向）の屈折率ｎeは、それと垂直方向（ｘ，ｙ方向）の屈折率ｎoに対してｎe＞ｎoの関係が成り立つ。この液晶分子３３では、ｚ方向から入射した光に対しては、その光の振動方向がｚ方向に垂直なｘｙ方向にあるので、その屈折率はｎoとなる。逆に、ｘｙ方向から入射した光に対しては、その光の振動方向がｘｙ方向に垂直なｚ方向にあるので、その屈折率はｎeとなる。ポリマー３２の屈折率ｎpolyは、液晶分子３３の低屈折率側の屈折率ｎoと同じ値に設定されている。この液晶分子３３は、誘電率異方性が正であり、後述するように、第１電極１５と第２電極２１との間に電界をかけた場合には、基板面に対して垂直方向に配向される。
【００２８】
上述したような構成の液晶表示装置は、無電界時には、液晶ドロプレット３２中の液晶分子３３がランダムに配向しているため、液晶ドロプレット３２の屈折率がポリマー３１の屈折率より高くなる。通常、このときの液晶ドロプレット３２の平均的な屈折率は、ｘ、ｙ、ｚの三軸方向の成分を考えて、（ｎe＋２×ｎo）／３になる。したがって、第２基板２０側から入射した光に対してポリマー３１と液晶ドロプレット３２との間で屈折率差Δｎが生じ、光が散乱されて白表示となる（ノーマリーホワイト）。
【００２９】
一方、第１電極１５と第２電極２１との間に電界を印加したときには、基板面に対して液晶分子３３が垂直方向に配向する。これにより、第２基板２０側から入射する光に対して液晶ドロプレット３２の屈折率がポリマー３１の屈折率ｎpolyと等しくなるので、この光は散乱されることなく液晶層３０および第１基板１０を透過して下側に設けられた光吸収層１６で吸収されることで黒表示される。
【００３０】
上述したような構成の光散乱型の液晶表示装置において、本発明の特徴的な構成としては、第１基板１０と第１電極１５の間に、可視光領域（約４００ｎｍ〜８００ｎｍ）に吸収を有さない材質で構成される絶縁層が設けられている。ここでは、層間絶縁膜１３がこの絶縁層を兼ねることとする。ここで、この絶縁層は実質的に可視光領域に吸収を有さない材質で構成され、少なくとも感光性樹脂よりも可視光領域における吸収が低い材質で構成される。これにより、表示側基板となる第２基板２０側から入射する可視光が層間絶縁膜１３に吸収されることが防止され、入射した可視光は反射率または透過率に寄与されるため、入射した可視光を有効に利用することが可能となる。
【００３１】
さらに、反射型の液晶表示装置においては、層間絶縁膜１３が後述する液晶層３０よりも屈折率の低い材質で構成されることで、反射率を高めることができるため、好ましく、さらに、０．５μｍ以上の膜厚で形成されることで、十分な反射の効果が得られるため、好ましい。このような材質で層間絶縁膜１３が設けられることにより、白表示状態において液晶層３０を透過した一部の光が、その積層面に対し斜めから層間絶縁膜１３に入射すると、その積層面の法線に対する入射角度θが大きくなるにつれて層間絶縁膜１３で内部反射を起こしやすくなり、再び液晶層３０側へと戻り、表示側基板２０へと反射しやすくなる。すなわち、白表示状態において背面側基板１０に入射し光吸収層１６で吸収される光の割合が少なくなり、結果的に、表示側基板２０を透過して外部に出射される光の割合が増えることになる。これにより、白表示状態における素子全体の反射率が上がり、白輝度が増大する。
【００３２】
具体的には、白表示状態における液晶層３０の全体的な屈折率ｎLCは、図２を用いて説明した液晶分子３３の長手方向（ｚ方向）の屈折率ｎe、それと垂直方向（ｘ，ｙ方向）の屈折率ｎo、ポリマー３２の屈折率ｎpolyおよび液晶ドロプレット３２とポリマー３１の体積比ａ：１−ａの値を用いて下記式（１）により求めることができる。
【００３３】
【数１】
2007248668.tif 000003
【００３４】
上記式（１）中において、一例として、液晶分子３３の屈折率ｎo＝１．５２、ｎe＝１．８０、ポリマー３２の屈折率ｎpoly＝１．５２とし、液晶ドロプレット３２とポリマー３１の体積比を８：２である場合の、液晶層３０の全体的な屈折率ｎLCは１．５９である。このようにして求められる液晶層３０の全体的な屈折率ｎLCよりも層間絶縁膜１３が低い屈折率を有することとする。
【００３５】
ここで、上記層間絶縁膜１３を構成する、可視光領域に吸収を有さず、液晶層３０よりも屈折率の低い材質としては、フッ素系樹脂が挙げられ、ここでは、例えば非晶質のパーフルオロ樹脂を用いることとする。フッ素系樹脂の中でも非晶質のパーフルオロ樹脂を用いることで、特に反射型の液晶表示装置において、高い反射率が得られるため、好ましい。
【００３６】
さらには、背面側基板となる第１基板１０を上記層間絶縁膜１３よりも屈折率の低い材料で形成し、表示側基板となる第２基板２０を上記液晶層３０と屈折率が同じまたは液晶層３０よりも屈折率の高い材料で形成することが好ましい。このような構成とすることで、第１基板１０では層間絶縁膜１３と同様の作用により、内部反射を起こしやすくなり、再び液晶層３０側へと戻り、第２基板２０へと反射しやすくなる。また、第２基板２０では、液晶層３０側から第２基板２０側への光の反射率が低く抑えられて、液晶層３０側への戻り光の割合が少なくなり、結果的に第２基板２０を透過して外部に出射される光の割合が増える。
【００３７】
ここで、しかしながら、白表示のときの反射率が上述のように上昇しても、黒表示のときの反射が同様に（＋α分）上昇すれば、コントラスト（＝白輝度／黒輝度）が低下して画質の劣化を招いてしまう。そこで黒表示のときの反射率について考察する。
【００３８】
黒表示の場合、液晶層３０の液晶ドロプレット３１とポリマー３１の屈折率ｎpolyが液晶分子３３の屈折率ｎｏと同じになるので表面から入射した光が液晶層３０で散乱されることなく透過し、下側の背面側基板１０に到達する。このときの各層における光の入射角度θに対する透過光の分布は、スネルの法則を満たすためにある角度以上は存在しないことになる（ただしすべての界面や表面が平らの場合）。つまり屈折率ｎ＝１．０の空気側からあらゆる角度で入射しても空気よりも屈折率の高いデバイス側に入射するとその層での臨界角θｒ＝arcsin（１／ｎD）より小さい角度に分布することになる。ただしここでデバイスの各層の屈折率を代表してｎDとする。液晶層３０の場合はｎD＝ｎLCである。今、液晶層３０の屈折率を１．５９とすると、この臨界角はθｒ＝３９．０°となる。この場合、図５に示した反射率Ｒの角度依存性から、たとえ屈折率が１．３４の層が液晶層３０の下側に存在したとしてもθ＝３９．０°までの角度成分であれば、光をほとんど反射しないことになる。従って、黒表示の場合において光の反射が高くならないので輝度の増加が見られない。一方白表示の場合、液晶層３０での光散乱によりすべての角度において光が存在するので結果として光の反射が高くなり、輝度が増すこととなる。従ってコントラストは上昇することになる。
【００３９】
このような構成の液晶表示装置は、次のような方法により製造される。
【００４０】
まず、図１に示すように、第１基板１０上にＣｒからなるゲート電極４１をパターン形成した後、ゲート電極４１を覆う状態で、第１基板１０上にＳｉＮからなるゲート絶縁膜４２を形成する。次いで、ゲート絶縁膜４２上に、ゲート電極４１を覆う状態で、アモルファスシリコン膜（図示省略）と、ｎ型アモルファスシリコン膜（図示省略）とを積層形成する。次いで、フォトリソグラフィー工程とエッチング工程を経ることで、ｎ型アモルファスシリコン膜とその下層のアモルファスシリコン膜とを島状にパターニングし、アモルファスシリコンからなるチャネル層４３を形成する。その後、例えばスパッタ法により、ｎ型アモルファスシリコン膜を覆う状態で、ゲート絶縁膜４２上に、Ｃｒからなるソース／ドレイン電極膜（図示省略）を形成する。次に、ソース／ドレイン電極膜をパターニングすることによってソース電極４５ａ、ドレイン電極４５ｂを形成し、さらに、ｎ型アモルファスシリコン膜をチャネル層４３上においてエッチング分離してソース４４ａ、ドレイン４４ｂを形成する。
【００４１】
以上のようにして、薄膜トランジスタ１１を画素毎に配列形成した後、薄膜トランジスタ１１上にパッシベーション膜１２を介して、非晶質のパーフルオロ樹脂からなる層間絶縁膜１３を塗布形成する。その後、次いで、この層間絶縁膜１３上に、例えば蒸着法、スパッタリング法、または化学的気相成長（Chemical Vapor Deposition（ＣＶＤ））法により、上記接続孔を埋め込む状態で、例えばＩＴＯ膜を形成する。これにより、接続孔１３ａ内にコンタクトプラグ１４が形成される。次いで、通常のリソグラフィ技術により、ＩＴＯ膜をパターン加工することで、各画素に応じた第１電極１５を形成する。
【００４２】
また、第２基板２０上にも、ＩＴＯ膜からなる第２電極２１を形成する。この場合の第２電極２１はベタ膜状に設けられることとする。
【００４３】
続いて、第１電極１５および第２電極２１の形成面を対向させた状態で、第１基板１０と第２基板２０とをスペーサ（図示省略）を挟んで重ね合わせ、第１基板１０と第２基板２０の周囲に設けられたシール材（図示省略）により接着する。続いて、第１基板１０と第２基板２０との間に、例えば架橋性のモノマーと液晶材料との混合液を注入し、封止した後、このモノマーを重合することで、ポリマー３１と液晶分子３３が包括された液晶ドロプレット３２とからなる液晶層３０を形成する。以上により、図１に示した液晶表示装置が完成する。
【００４４】
このような液晶表示装置によれば、第１基板１０上で薄膜トランジスタ１１を覆う層間絶縁膜１３が可視光領域に吸収を有さない非晶質のパーフルオロ樹脂で構成されていることから、第２基板２０側からの入射した可視光が層間絶縁膜１３で吸収されることが防止される。これにより、入射した可視光が透過率または反射率に寄与するため、有効に利用される。また、層間絶縁膜１３が液晶層３０よりも屈折率が低いことで、層間絶縁膜１３から液晶層３０側に反射される光の割合が増え、白表示状態における素子全体の反射率が上がり、白輝度を増大させることができる。また、第１基板１０上に層間絶縁膜１３を介して第１電極１５が形成されることで、薄膜トランジスタ１１のソース電極４５ａ・ドレイン電極４５ｂとは別の層で形成されるため、開口率を維持することが可能となる。さらに、上述したように黒表示状態における反射率は増大しないため、コントラストを向上することが可能となる。以上のことから、画質の優れた明るい表示が可能となる。
【００４５】
また、層間絶縁膜１３を可視光領域に吸収を有さず、液晶層３０よりも屈折率の低い材質で構成することで、新たな層を追加しなくてもよいことから、薄膜化が可能であり、製造プロセスを増加しなくてもよい。
【００４６】
なお、上記実施形態では、反射型の液晶表示装置の例を用いて説明したが、透過型の液晶表示装置であっても、本発明は適用可能である。この場合には、第１基板１０の光吸収層１６は設けられず、例えば第１基板１０側から入射した光を第２基板２０側へ透過させる。このため、電界を印加していない状態が遮光となり、電界を印加した状態が透過となる。この場合であっても、上記層間絶縁膜１３が可視光領域に吸収を有さない材質で構成されることで、透過率が高くなるため、透過状態の輝度を増大させることが可能となる。
【００４７】
また、上記実施形態は、ＰＮ型の液晶層３０を備えた液晶表示装置について説明したが、本発明は光散乱型の液晶表示装置であればよく、樹脂中に液晶マイクロカプセルを分散させた高分子分散型液晶（Polymer Dispersion Liquid Crystal（ＰＤＬＣ））を用いた液晶表示装置であっても適用可能である。
【００４８】
さらに、上記実施形態ではアクティブ駆動方式の液晶表示装置の例について記載したが、パッシブ駆動方式の液晶表示装置であっても、本発明は適用可能である。この場合には、背面側基板となる第１基板上に可視光領域に吸収を有さない材質からなる絶縁層を介してストライプ状の第１電極が配置されるとともに、第２基板上にもストライプ状の第２電極が配置される。そして第１基板と第２基板の間に、第１電極と第２電極とが直交した状態で、電極形成面を介して液晶層が挟持される。
【実施例】
【００４９】
（実施例１）
上述した実施形態と同様に、図１に示す液晶表示装置を製造した。すなわち、無アルカリガラス基板上に薄膜トランジスタ１１と駆動回路を形成した後、スピンコート法によりパーフルオロ樹脂（旭硝子社製パーフルオロ樹脂サイトップＣＴＬ−８０９Ｍ（屈折率１．３４）からなる層間絶縁膜１３を塗布し、焼成した。その後、フォトリソグラフィー法により、上記薄膜トランジスタ１１のドレイン電極４５ｂに達する接続孔１３ａを形成した。その後、スパッタリング法により、接続孔１３ａを埋め込む状態でＩＴＯからなる第１電極１５をパターン形成した。一方、第２基板２０上にもＩＴＯからなる第２電極２１を形成した。
【００５０】
次いで、第１電極１４と第２電極２１とを対向させた状態で、第１基板１０と第２基板２０とをスペーサ（積水化学社製スペーサーミクロパールＳＰ−２５０（直径５０μｍ））を挟んで重ね合わせ、第１基板１０と第２基板２０の周囲をシール材（協立化学社製ワードロック７８０Ｐ−Ｎ７）により接着した。
【００５１】
続いて、第１基板１０と第２基板２０との間に、架橋性のモノマーと液晶材料との混合液（大日本インキ化学工業社製液晶（モノマーミクスチャーＦＳ−１００））を注入し、このモノマーを照度４０ｍＷ／ｃｍ2のＵＶランプで１０秒間照射することで、ポリマー３１と液晶分子３３が包括された液晶ドロプレット３２とからなる液晶層３０を形成した。以上のようにして、液晶表示装置を作製した。液晶表示装置の開口率は６２％であった。
【００５２】
（比較例１）
上述した実施例１に対する比較例１として、背景技術で説明したように、フッ素系樹脂からなる層間絶縁膜１３の代わりに、背景技術で図２を用いて説明した感光性の有機材料（ＪＳＲ社製感光性樹脂オプトマーＰＣ４０３（屈折率１．５５））からなる層間絶縁膜１３’を用いて、実施例１と同様の方法により液晶表示装置を作製した。液晶表示装置の開口率は実施例１と同様に、６２％であった。
【００５３】
（比較例２）
上述した実施例１に対する比較例２として、背景技術で説明したように、層間絶縁膜１３を形成せずに、第１電極１５とソース電極４５ａ・ドレイン電極４５ｂとを同一層で形成した以外は、実施例１と同様に液晶表示装置を作成した。液晶表示装置の開口率は、４６％であった。
【００５４】
上述した実施例１および比較例１、２の液晶表示装置について、リング系のランプで４５度で光が入射するように光学系を設定した後、大塚電子製分光光度計ＭＣＰＤ−７０００を用いて、受光光学系における標準散乱板に対する反射率を測定した。また、無電界時の反射率に対する２０Ｖ印加時の反射率をコントラストとして測定した。
【００５５】
以上の結果を表１に示す。
【表１】
2007248668.tif 000004
【００５６】
この表に示すように、層間絶縁膜１３として非晶質のパーフルオロ樹脂を用いた実施例１の液晶表示装置は、層間絶縁膜１３が感光性の有機材料で構成された比較例１の液晶表示装置と比較して、反射率が顕著に高く、層間絶縁膜１３が設けられていない比較例２の液晶表示装置と比較しても、高い反射率を示すことが確認された。また、実施例１の液晶表示装置は、比較例２の液晶表示装置と比較して開口率が高いため、コントラストが顕著に高くなり、開口率が同じ比較例１の液晶表示装置と比較してもコントラストが高くなることが確認された。
【図面の簡単な説明】
【００５７】
【図１】本発明の液晶表示装置に係る実施形態を説明するための断面図である。
【図２】本発明の液晶表示装置に係る実施形態の液晶分子を説明するための断面図である。
【図３】従来の液晶表示装置を説明するための断面図である。
【符号の説明】
【００５８】
１０…第１基板、１５…第１電極、１３…層間絶縁膜、２０…第２基板、２１…第２電極、３０…液晶層、３１…ポリマー、３２…液晶ドロプレット、３３…液晶分子
【図１】
2007248668.tif 000005
【図２】
2007248668.tif 000006
【図３】
2007248668.tif 000007